(57)【特許請求の範囲】
【請求項１】
男性用ボトム衣類であって、
本体領域と、着用時に局部を覆う前当領域と、前記両者を連結する帯状領域とを含み、
前記本体領域は、
前身頃領域と後身頃領域とを含み、
前記前当領域は、
着用時における前方向に突出した凸状であり、
前記帯状領域は、
その伸度が、前記本体領域及び前記前当領域の少なくとも一方よりも、相対的に大きい伸度であり、
略Ｕ字状のメッシュ部材であり、
着用時において局部の左右両側と下側とを囲むように配置され、
前記帯状領域において、前記局部の下部に対応する下方領域の面方向は、前記前身頃領域の面方向に対して前記前方向に傾斜し、前記下方領域よりも上の上方領域の面方向は、前記前身頃領域の面方向に対して略平行であることを特徴とする男性用ボトム衣類。
【請求項２】
前記帯状領域を、その肌側の面が水平台に対向するように置き、前記上方領域の面方向を前記水平台の面と平行にした場合、前記下方領域の面方向は、前記水平台の面に対する垂直方向に傾斜している、請求項１記載の男性用ボトム衣類。
【請求項３】
前記本体領域の前記前身頃領域が上になるよう平置きした状態において、点Ａ’と点Ａ’’との間の距離Ａが、下記条件（１）を満たし、
前記点Ａ’は、前記帯状領域の外周における前記下方領域と前記上方領域との境界点を、体軸方向に平行な中心線に投影した点であり、
前記点Ａ’’は、前記本体領域の股部の最下点である、請求項１及び２記載の男性用ボトム衣類。
（１）  ６０ｍｍ≦Ａ≦１００ｍｍ
【請求項４】
前記本体領域の前記前身頃領域が上になるように平置きした状態において、距離Ｂが、下記条件（２）を満たし、
前記距離Ｂは、前記帯状領域の外周における前記下方領域と前記上方領域との２つの境界点の間の距離である、請求項１から３のいずれか一項に記載の男性用ボトム衣類。
（２）  １３０ｍｍ≦Ｂ≦２１０ｍｍ
【請求項５】
前記本体領域の前記前身頃領域が上になるように平置きした状態において、角度Ｃが、下記条件（３）を満たし、
前記角度Ｃは、前記帯状領域の外周の最下点Ｈを通り且つ体軸方向に平行な線と、前記帯状領域の外周の最下点Ｈと内周の最下点Ｈ’とを結ぶ線とがなす角である、請求項１から４のいずれか一項に記載の男性用ボトム衣類。
（３）  ５０°≦Ｃ≦７０°
【請求項６】
前記帯状領域の伸度が、前記本体領域よりも、相対的に大きい伸度である、請求項１から５のいずれか一項に記載の男性用ボトム衣類。
【請求項７】
前記帯状領域の両端が、ウエスト付近まで伸びており、前記ウエスト付近で固定されている、請求項１から６のいずれか一項に記載の男性用ボトム衣類。
【請求項８】
前記後身頃領域が、メッシュ部材で形成されている、請求項１から７のいずれか一項に記載の男性用ボトム衣類。
【請求項９】
前記本体領域が、一体成型された部材で形成されている、請求項１から８のいずれか一項に記載の男性用ボトム衣類。
【請求項１０】
前記男性用ボトム衣類が、スポーツ用である、請求項１から９のいずれか一項に記載の男性用ボトム衣類。
【発明の詳細な説明】
【技術分野】
【０００１】
本発明は、男性用ボトム衣類に関する。
【背景技術】
【０００２】
男性用のボトム衣類は、動きに応じて局部に揺れを生じることから、局部の収まりを考慮する必要がある。特に、スポーツ中は、通常の動きよりも局部の揺れの発生が大きいため、この点は重要となる。そこで、局部の収まりを考慮した男性用ボトム衣類として、例えば、局部周辺に略直線状の支持ベルトを配置し、これにより局部を支える形態が提案されている（特許文献１）。また、局部の下部を受けるブラジャー型布と、局部を覆う袋状の布とにより、局部を収める形態も提案されている（特許文献２）。また、サポーターのような緊締力のある素材を使用することにより、局部を押さえつけ、揺れを抑える形態も知られている。
【０００３】
しかし、前記特許文献１の男性用ボトム衣類では、局部周辺に配置される支持ベルトが、略直線状であることから、局部のフィット性が悪く、快適性に欠ける。また、前記特許文献２の男性用ボトム衣類では、前記ブラジャー型布により、局部の下部が支えられているのみであり、引き上げることができないことから、安定性に欠ける。さらに、前記局部を覆うための袋状布を別途被せる必要もある。また、前述のサポーターのように緊締力のある素材を使用すると、局部を押さえつけることにより、着用感が悪いという問題がある。
【先行技術文献】
【特許文献】
【０００４】
【特許文献１】特開２００６−０８９９１１号公報
【特許文献２】実用新案登録第３０１９０１６号公報
【発明の概要】
【発明が解決しようとする課題】
【０００５】
そこで、本発明は、局部のフィット性、特に局部の下部のフィットもよく、運動動作による揺れも少なく局部が固定されることで安定した着け心地である男性用ボトム衣類の提供を目的とする。
【課題を解決するための手段】
【０００６】
前記目的を達成するために、本発明のボトム衣類は、
男性用ボトム衣類であって、
本体領域と、着用時に局部を覆う前当領域と、前記両者を連結する帯状領域とを含み、
前記本体領域は、
前身頃領域と後身頃領域とを含み、
前記前当領域は、
着用時における前方向に突出した凸状であり、
前記帯状領域は、
略Ｕ字状のメッシュ部材であり、
着用時において局部の左右両側と下側とを囲むように配置され、
前記帯状領域において、前記局部の下部に対応する下方領域の面方向は、前記前身頃領域の面方向に対して前記前方向に傾斜し、前記下方領域よりも上の上方領域の面方向は、前記前身頃領域の面方向に対して略平行であることを特徴とする。
【発明の効果】
【０００７】
本発明によれば、局部のフィット性、特に局部の下部のフィットもよく、運動動作による揺れも少なく局部が固定されることで安定した着け心地である男性用ボトム衣類を提供可能である。
【図面の簡単な説明】
【０００８】
【図１】図１は、本発明の男性用ボトム衣類の第１の実施形態に係るトランクス１０００を示す。図１（ａ）は、トランクス１０００の着用時における斜視図を示し、図１（ｂ）は、トランクス１０００の着用時における左側面図を示す。
【図２】図２は、本発明の男性用ボトム衣類の第１の実施形態に係るトランクス１０００を示す。図２（ａ）は、トランクス１０００の平置きにした時の正面図を示し、図２（ｂ）は、トランクス１０００の平置きにした時の背面図を示す。図２（ｃ）は、図２（ａ）の正面図のＩ−Ｉ方向から見た時の断面図を示す。
【図３】図３は、本発明の男性用ボトム衣類の第１の実施形態に係るトランクス２０００を示す。
【発明を実施するための形態】
【０００９】
本発明の男性用ボトム衣類について、以下、例をあげて説明する。ただし、本発明は、以下の例に限定及び制限されない。なお、下記図１〜図３において、同一部分には同一の符号を付している。
【００１０】
以下、「前」「後」とは、着用時において、前身頃側を前、後身頃側を後とした場合の前後方向をいい、「上」「下」とは、着用時における上下方向をいう。また、「左」「右」とは、前側から見た左右でも、後側から見た左右でもよい。
【００１１】
（第１の実施形態）
図１に、本発明の男性用ボトム衣類の第１の実施形態に係るトランクス１０００を示す。図１（ａ）は、トランクス１０００の着用時における斜視図を示し、図１（ｂ）は、トランクス１０００の着用時における左側面図を示す。図２（ａ）は、トランクス１０００の平置きにした時の正面図を示し、図２（ｂ）は、トランクス１０００の平置きにした時の背面図を示し、図２（ｃ）は、図２（ａ）の正面図のＩ−Ｉ方向から見た時の断面図を示す。
【００１２】
図１及び図２に示すように、本実施形態のトランクス１０００は、ショートタイプのトランクスである。トランクス１０００は、本体領域１００と、前当領域２００と、帯状領域３００と、伸縮性ベルト４００とを含む。本実施形態において、伸縮性ベルト４００は、任意の構成要素である。
【００１３】
本体領域１００は、図１及び図２に示すように、前身頃領域１０１と、それに対向する後身頃領域１０２とで構成される。
【００１４】
前当領域２００は、図１及び図２に示すように、着用時に局部Ｘを覆うように配置される。前当領域２００は、図１（ｂ）に示すように、着用時における前方向に突出した凸状である。
【００１５】
帯状領域３００は、図１及び図２に示すように、本体領域１００及び前当領域２００を連結する。本発明において、「連結」とは、特に制限されず、例えば、縫合による連結、接着による連結、両部材を一体として編み上げる方法等があげられ、特に制限されないが、十分な連結強度の点から、縫合による連結が好ましい。また、帯状領域３００は、図１及び図２に示すように、着用時において局部Ｘの左右両側と下側とを囲むように配置される。
【００１６】
帯状領域３００は、下方領域３１０及び上方領域３２０を含む。下方領域３１０は、局部Ｘの下部に対応し、下方領域３１０の面方向は、前身頃領域１０１の面方向に対して前方向に傾斜する。前記前方向とは、例えば、前当領域２００の着用時における突出方向をいう。上方領域３２０は、下方領域よりも上にあり、上方領域３２０の面方向は、前身頃領域１０１の面方向に対して略平行であり、例えば、前身頃領域１０１と同一平面上にある。
【００１７】
帯状領域３００を、その肌側の面が水平台に対向するように置き、その上方領域３２０の面方向を前記水平台の面と平行にした場合、下方領域３１０の面方向は、例えば、前記水平台の面に対する垂直方向に傾斜していてもよい。
【００１８】
帯状領域３００は、略Ｕ字状の形状である。前記略Ｕ字状形状とは、例えば、着用時において局部の左右両側と下側とを囲み、前記局部の上側は開放されている形状であればよい。
【００１９】
帯状領域３００は、例えば、一つの部材から形勢される未連結の一体化部材でもよいし、複数の部材が連結された一体化部材でもよい。前者の場合、帯状領域３００は、例えば、一つの素材を略Ｕ字状に裁断することで得られる。この場合、例えば、切り替え、接ぎ線がないため、より優れた肌触りとなる。また、後者の場合、帯状領域３００は、例えば、略Ｊ字状の部材と、それに対称な形状の部材とを連結した部材でもよい。前記略Ｊ字状の部材と、前記対象な形状の部材は、例えば、それぞれの下方の先端を連結することによって、略Ｕ字状とすることができる。
【００２０】
帯状領域３００の部材は、伸縮性のメッシュ部材である。前記メッシュ部材は、例えば、メッシュ状の部材であればよく、メッシュ素材ということもできる。「メッシュ状」とは、例えば、網目状をいい、前記メッシュ部材としては、例えば、編物（編地）、織物（織地）等の生地が挙げられる。前記編物は、例えば、経編でも緯編でもよい。前記メッシュ部材の組織は、例えば、ワンウェイ又はツーウェイのトリコット、パワーネット等が挙げられ、前記メッシュ部材の材質は、特に制限されず、例えば、ナイロン、ポリエステル等のポリマー、綿、それらの混紡等があげられる。
【００２１】
前記メッシュ部材は、例えば、ＫＥＳ−Ｆ８通気性試験機による通気度測定値が、０．０２５以下であることが、通気性の観点から好ましい。
【００２２】
伸縮性ベルト４００は、例えば、本体領域１００の上端部に連結した状態で配置されており、着用時においてウエスト周り付近に位置することが好ましい。伸縮性ベルト４００は、本実施形態において、任意の構成要素である。
【００２３】
本実施形態のトランクス１０００は、例えば、本体領域１００、前当領域２００、及び帯状領域３００に対応する各部材が、それぞれ連結されて一体化している。前記連結は、前述のように、特に制限されないが、例えば、縫合による連結である。また、本実施形態のトランクス１０００において、本体領域１００、前当領域２００、及び帯状領域３００は、例えば、いずれか二つの領域または全ての領域が、連続して形成された一つの部材で構成されてもよい。
【００２４】
本実施形態のトランクス１０００の本体領域１００は、前身頃領域１０１及び後身頃領域１０２に加えて、さらにマチ領域を含んでもよい。前記マチ領域は、例えば、クロッチ領域ともいい、股部分に該当する領域をいう。前記マチ領域は、例えば、前身頃領域１０１及び後身頃領域１０２と同じ部材を使用してもよいし、異なる部材を使用してもよい。前記マチ領域は、例えば、前身頃領域１０１と後身頃領域１０２との間であって、股に対応する箇所に配置され、前記両者に連結されていることが好ましい。
【００２５】
本実施形態のトランクス１０００は、帯状領域３００が、局部Ｘの下部と左右の横部とを囲む略Ｕ字状であるため、局部Ｘの下方を十分に支えることができる。また、帯状領域３００の下方領域３１０の面方向は、前身頃領域１０１の面方向に対して、完全に平行ではなく、局部Ｘの下部を受ける下方領域３１０の面方向において、前身頃領域１０１の面方向に対して前方向に傾斜する立体構造をとる。このような立体構造をとることにより、帯状領域３００は、局部Ｘの重量を受け止めることができ、局部Ｘを適度にフィットした状態で固定できる。このように、本実施形態のトランクス１０００は、帯状領域３００に融通性を持たせ、局部Ｘの揺れを抑えることができるため、例えば、局部を圧迫した無理な固定が不要であり、局部Ｘの揺れを抑えるとともに、優れたフィット性及び快適性が得られる。
【００２６】
本実施形態のトランクス１０００は、帯状領域３００の部材が、前述の通り、メッシュ部材である。これにより、例えば、運動時等において、前当領域２００内で局部Ｘに揺れが生じた場合、前記メッシュ部材の帯状領域３００から、揺れにより空気が出し入れされ、局部Ｘ周辺の通気性を保つことができる。また、帯状領域３００の部材がメッシュ部材であるため、緩衝材の役割を果たす。すなわち、脚や臀部等の動きは、本体領域１００に伝わるが、本体領域１００と連結された帯状領域３００はメッシュ構造であるため、本体領域１００に伝わった動きが帯状領域３００のメッシュ目の移動等で緩衝され、前当領域２００への伝達が抑制でき、結果、局部Ｘの揺れが抑えられる。さらに、帯状領域３００がメッシュ部材であり、且つ、帯状領域３００の上方領域３２０の面方向が前身頃領域１０１の面方向に対して略平行であり、且つ、帯状領域３００の下方領域３１０の面方向が前身頃領域１０１の面方向に対して前方向に傾斜することで、例えば、運動時において、局部Ｘが揺れて上下左右に動こうとしても、局部Ｘ周辺が、立体を保ち、且つ、局部Ｘを持ち上げる構造となるので、無理なくフィットした状態となる。このため、運動時の際でも、揺れを抑え、適度なフィット状態で蒸れないようにできる。
【００２７】
本実施形態のトランクス１０００において、図１及び図２に示すように、帯状領域３００の両端Ｙが、ウエスト付近まで伸びており、前記ウエスト付近で固定されていることが好ましい。これにより、帯状領域３００が局部Ｘをしっかりと吊り上げる。これにより、局部Ｘをより安定に持ち上げることができるので、運動時でも揺れを抑えることができる。
【００２８】
本実施形態のトランクス１０００において、図２（ｂ）に示すように、後身頃領域１０２が、メッシュ部材であることが好ましい。これにより、トランクス１０００の通気性が向上する。前記メッシュ部材は、特に制限されず、例えば、帯状領域３００のメッシュ部材と同様である。
【００２９】
本実施形態のトランクス１０００において、図１及び図２に示すように、本体領域１００の前身頃領域１０１及び後身頃領域１０２は、一体化された部材であることが好ましい。これにより、切り替え、接ぎ線がないため、優れた肌触りとなる。
【００３０】
以下、本実施形態の帯状領域３００における、下方領域３１０の外周及び上方領域３２０の外周の境界点Ｋについて説明する。境界点Ｋとは、帯状領域３００の外周における下方領域３１０の上端であり、下方領域３１０の面方向について前記傾斜が始まる位置である。境界点Ｋは、例えば、以下で説明する距離Ａにより規定してもよいし、以下で説明する距離Ｂにより規定してもよい。また、前記傾斜が始まる境界点は、例えば、帯状領域３００と前当領域２００とを（または、両者から起こした型紙を）、それぞれ水平台に置いた状態で、帯状領域３００の内側カーブと前当領域２００の外周カーブとを上方向から自然に沿わせた際に、両者のカーブに不一致が生じる点ということもできる。この境界点と図２の境界点Ｋとは、例えば、図２の帯状領域において、互いに対応する内側カーブの点と外側カーブの点に該当する。
【００３１】
図２（ａ）に示すように、例えば、トランクス１０００を本体領域１００の前身頃領域１０１が上になるよう平置きした状態において、点Ａ’と点Ａ’’との間の距離Ａが、下記条件（１）を満たすことが好ましい。点Ａ’は、帯状領域３００の外周における下方領域３１０と上方領域３２０との境界点Ｋを、体軸方向に平行な中心線に投影した点であり、点Ａ’’は、本体領域１００の股部の最下点である。
（１）  ６０ｍｍ≦Ａ≦１００ｍｍ
【００３２】
距離Ａが前記条件（１）を満たす場合、例えば、帯状領域３００の下方領域３１０では、局部Ｘの下方部分が緩やかに立ち上がる形状となり、下方領域３１０の面方向が、局部Ｘの形状に沿うため、前当領域２００が、適度に局部Ｘを覆うことができる。これにより、局部Ｘ周辺には、局部Ｘの動きを許容し得るスペースが確保される。このため、帯状領域３００が、効果的に前当領域２００と本体領域１００との揺れの差を緩和できる。また、フラットな領域である上方領域３２０が下方まで延長されていないため、鼠径部の動きが阻害されることがない。さらに、局部Ｘ周辺の立ち上がり形状が大きくなり過ぎず、前当領域２００が、必要以上に前方向に突出した状態とならない。このため、前当領域２００が、局部Ｘをしっかりとホールドでき、安定性が向上する。
【００３３】
距離Ａは、前述した効果をより効果的なものとするために、例えば、７０〜９０ｍｍの範囲が好ましい。
【００３４】
図２（ａ）に示すように、例えば、トランクス１０００の本体領域１００の前身頃領域１０１が上になるように平置きした状態において、距離Ｂが、下記条件（２）を満たすことが好ましい。距離Ｂは、帯状領域３００の外周における下方領域３１０と上方領域３２０との２つの境界点Ｋ及びＫ’の間の距離である。
（２）  １３０ｍｍ≦Ｂ≦２１０ｍｍ
【００３５】
距離Ｂが前記条件（２）を満たす場合、例えば、前当領域３００が局部Ｘの幅と合うため、前当領域３００に適切に局部Ｘが収まる。このため、前当領域３００が、局部Ｘをしっかりとホールドできる。
【００３６】
距離Ｂは、前述した効果をより効果的なものとするために、例えば、１５０〜１７０ｍｍの範囲が好ましい。
【００３７】
また、本実施形態の帯状領域３００における、下方領域３１０の立ち上がりの角度は、特に制限されないが、例えば、以下のような条件があげられる。下方領域３１０の立ち上がり角度は、例えば、図２（ｃ）の角度Ｃで表すことができる。前記角度Ｃは、帯状領域３００の外周の最下点Ｈを通り且つ体軸方向に平行な線Ｌと、帯状領域３００の外周の最下点Ｈと内周の最下点Ｈ’とを結ぶ線とがなす角である。本体領域１００の前身頃領域１０１が上になるように平置きした状態において、角度Ｃが、下記条件（３）を満たすことが好ましい。
（３）  ５０°≦Ｃ≦７０°
【００３８】
角度Ｃが前記条件（３）を満たす場合、例えば、局部Ｘ付近の前方向への突出量が適度に確保される。これにより、前当領域２００が、局部Ｘを押さえつけることがなく、また、局部Ｘをしっかりとホールドできる。このため、帯状領域３００が、効果的に前当領域２００と本体領域１００との揺れの差を緩和できる。
【００３９】
角度Ｃは、前述した効果をより効果的なものとするために、例えば、５５〜６５°が好ましい。
【００４０】
本体領域１００及び前当領域２００の部材としては、特に制限されず、例えば、編物、織物、不織布等の生地が挙げられる。前記編物は、例えば、経編でも緯編でもよい。具体例としては、例えば、フライス、天竺、トリコット、パワーネット、ツーウェイラッセル等の素材が用いられる。前当領域２００は、例えば、前記部材を２枚重ねで使用してもよい。
【００４１】
本実施形態において、例えば、本体領域１００、前当領域２００、及び帯状領域３００の物性は、特に制限されないが、例えば、伸縮性を有することが好ましく、そのような物性を有する部材を、適宜選択して使用できる。前記伸縮性とは、例えば、伸度で表すことができる。
【００４２】
前記伸縮性を有する部材は、特に制限されないが、例えば、前述のような編物が挙げられる。前記伸張性の部材の具体例は、例えば、経編素材であるメッシュパワーネット、柄パワーネット、ラッセルレース、ダブルラッセル、ストレッチテープ等が挙げられる。
【００４３】
帯状領域３００の伸度（伸縮性）は、例えば、前身頃領域１０１及び前当領域２００よりも、相対的に大きいことが好ましく、具体的には、着用時の鉛直方向における帯状領域３００の伸度が、着用時の鉛直方向における前身頃領域１０１及び前当領域２００の伸度よりも、相対的に大きいことが好ましい。これらの各領域の素材は、特に制限されず、例えば、このような物性を有する素材を、適宜選択して、配置すればよい。
【００４４】
以下に、各部材の伸度（伸縮性）の測定法を説明する。なお、本発明は、この測定法により限定されるものではない。
【００４５】
まず、測定対象の部材について、それぞれ、１６０ｍｍ×２５ｍｍの大きさの試験片２枚を採取する。測定は、本体領域１００の部材、前当領域２００の部材及び帯状領域３００の部材について行う。各部材の試験片は、トランクス１０００に配置された際に着用時の鉛直方向となる方向の長さを１６０ｍｍとし、鉛直方向に略垂直な水平方向となる方向の長さを２５ｍｍとした鉛直方向試験片とする。
【００４６】
そして、前記各試験片について、１６０ｍｍの長さ方向を上下方向に向けて、その両端をクリップで挟み、定速伸長型引張試験機（島津製作所製、商品名オートグラフ  ＡＧ−５００Ｄ）に取り付ける。前記クリップによる上部のつかみ長さは２５ｍｍ、下部のつかみ長さは３５ｍｍとし、その間の距離（つかみ間隔）を１００ｍｍとする。そして、前記定速伸長型引張試験機により、前記試験片を、３００ｍｍ±２０ｍｍ／分の速度で、２２．１Ｎ（２．２５ｋｇｆ）の荷重をかけて引っ張る。荷重９．８Ｎ（１．００ｋｇｆ）の伸び率（％）を測定し、２回の平均値を算出し、整数位で表したものを、１４．７Ｎ時の伸度（％）とする。前記伸度（％）は、引っ張りによる伸長前の長さを１００％とした際における、荷重９．８Ｎでの引っ張りによる伸長時の長さの相対値（％）である。
【００４７】
帯状領域３００の伸度（伸縮性）は、前述のように、例えば、着用時の鉛直方向における帯状領域３００の伸度が、着用時の鉛直方向における前身頃領域１０１及び前当領域２００の伸度よりも、相対的に大きいことが好ましい。帯状領域３００の伸度と、前身頃領域１０１又は前当領域２００の伸度との差は、その下限が、例えば、１０％以上、２０％以上であり、その上限が、例えば、５０％以下、４０％以下であり、その範囲が、例えば、１０〜５０％、２０〜４０％である。
【００４８】
帯状領域３００の前記鉛直方向の伸度は例えば、１３０〜１７０％の範囲である。また、本体領域１００及び前当領域２００の前記鉛直方向の伸度は、例えば、１００〜１４０％の範囲であることが好ましい。
【００４９】
また、本体領域１００及び前当領域２００については、例えば、同一部材を使用してもよく、前当領域２００は、前記部材を２枚重ねで使用することが好ましい。
【００５０】
以上、実施形態の具体例として、トランクスをあげて本発明を説明したが、本発明の男性用ボトム衣類は、これらの具体例で記載されたもののみに限定されるものではなく、太ももの付け根を超えて丈がある、いわゆる一分丈ショーツ等の男性用ボトム部を有する衣類等に適用できる。具体的には、例えば、図３に示す一分丈ショーツ等の男性用ボトム部を有する衣類が挙げられる。図３に示すトランクス２０００は、本体領域５００が、太ももの付け根を超えて丈があること以外は図１に示すトランクス１０００と同一である。
【００５１】
以上、実施形態の具体例として、トランクスをあげて本発明を説明したが、本発明のボトム衣類は、これらの具体例で記載されたもののみに限定されるものではなく、男性用ランニングパンツ、男性用スイミングパンツ等のスポーツ用衣類、男性用サポーター、タイツ、その他外衣、ボトム商品及びトップスとのつなぎ商品等の男性用ボトム衣類に適用できる。
【産業上の利用可能性】
【００５２】
本発明のボトム衣類は、種々の態様が可能である。例えば、上記の実施形態のようなトランクス以外にも、スポーツ衣類、アウター等、各種のボトム部を有する衣類に適用できる。
【符号の説明】
【００５３】
１００、５００  本体領域
１０１、５０１  前身頃領域
１０２、５０２  後身頃領域
２００  前当領域
３００  帯状領域
３１０  下方領域
３２０  上方領域
４００  伸縮性ベルト
１０００、２０００  トランクス
Ａ  距離Ａ
Ａ’  体軸方向に平行な中心線に投影した点
Ａ’’  本体領域の股部最下点
Ｂ  距離Ｂ
Ｃ  角度Ｃ
Ｈ  帯状領域の外周の最下点
Ｈ’  帯状領域の内周の最下点
Ｋ、Ｋ’  帯状領域の外周での境界点
Ｌ  体軸方向に平行な中心線
Ｘ  局部
【図１】
0006565423.tif 000002
【図２】
0006565423.tif 000003
【図３】
0006565423.tif 000004